(57)【要約】      （修正有）【課題】耐水性及び安全性に優れた防水山型照明装置を提供する。【解決手段】防水山型照明装置は、ソケット１１と、照明管構造１２と、延伸板材と、２つのサイドカバー１５とを含む。ソケットは、長尺状の溝体１１１を備え、長尺状の溝体の両端に開口１１２を有する。照明管構造は、ソケットに結合されるとともに、照明カバー１２１と、アルミニウムプレート１２２と、光源プレート１２６と、２つの防水パッキン１２３と、電源１２４と、２つのキャップ１２５とを備える。延伸板材は、凹溝をそれぞれ備え、凹溝の両端に溝口を備えるとともに、ソケットの両側に位置し、長尺状の溝体の底面が面する方向と凹溝の底面が面する方向とが異なっている。２つのサイドカバーは、ソケットの開口と延伸板材の２つの溝口をそれぞれ封止する。【選択図】図２
0003219914.tif 000002
【実用新案登録請求の範囲】
【請求項１】
長尺状の溝体を備え、前記長尺状の溝体の両端に開口を有するソケット、
前記ソケットに結合されるとともに、前記長尺状の溝体の下方に位置する照明管構造であって、照明カバーと、前記照明カバーに接合されるアルミニウムプレートであって、当該アルミニウムプレートの両側と前記照明カバーの両側により２つの端部開口が形成されるアルミニウムプレートと、前記照明カバーと前記アルミニウムプレートの間に設けられる光源プレートと、前記端部開口の両側にそれぞれ設けられる２つの防水パッキンと、前記防水パッキンのうち一方の防水パッキンの外側に位置しており、前記光源プレートに電気的に接続される電源と、前記端部開口をそれぞれ封止する２つの蓋体と、を備える照明管構造、
凹溝をそれぞれ備える２つの延伸板材であって、前記凹溝の両端に溝口を備えるとともに、前記ソケットの両側に位置しており、前記長尺状の溝体の底面が面する方向と凹溝の底面が面する方向とが異なっている延伸板材、及び
前記開口と２つの溝口をそれぞれ封止する２つのサイドカバー、を含むことを特徴とする防水山型照明装置。
【請求項２】
前記アルミニウムプレートと前記ソケットの間には係合フック構造が設けられていることを特徴とする請求項１に記載の防水山型照明装置。
【請求項３】
前記アルミニウムプレートと前記ソケットの間には安全フックが設けられていることを特徴とする請求項１に記載の防水山型照明装置。
【請求項４】
前記サイドカバーは開孔と端部カバーを含み、前記端部カバーは前記開孔を封止していることを特徴とする請求項１に記載の防水山型照明装置。
【請求項５】
前記ソケットの側壁は第１係接構造を含み、前記延伸板材は、前記凹溝の側壁に位置する第２係接構造を更に含み、前記第１係接構造と前記第２係接構造が係合して固定されていることを特徴とする請求項１に記載の防水山型照明装置。
【請求項６】
前記第１係接構造は対向する２つの係合溝であり、前記第２係接構造は、前記凹溝の側壁の下端に位置する突起部であり、前記２つの係合溝は、前記突起部及び前記凹溝の側壁の先端にそれぞれ係接されることを特徴とする請求項５に記載の防水山型照明装置。
【請求項７】
前記ソケットに接続されており、前記電源の電源コードを被覆するケーブルカバーを更に含むことを特徴とする請求項１に記載の防水山型照明装置。
【請求項８】
前記係合フック構造は、上係合フック、下係合フック及び係合フックベースを含むことを特徴とする請求項２に記載の防水山型照明装置。
【請求項９】
前記アルミニウムプレートは第１板材及び第２板材を含み、前記第１板材と前記第２板材は重ね合わされており、前記光源プレートは前記第１板材に接合されていることを特徴とする請求項１に記載の防水山型照明装置。
【請求項１０】
前記２つの防水パッキンはそれぞれ貫通孔を含み、前記２つの貫通孔はそれぞれ前記アルミニウムプレートの両端に覆接されていることを特徴とする請求項１に記載の防水山型照明装置。
【考案の詳細な説明】
【技術分野】
【０００１】
本発明は照明器具に関し、より詳細には、設置したときに防水機能を発揮する山形の照明器具に関する。
【背景技術】
【０００２】
日常生活における照明は、必要不可欠な製品である。従来技術では、一般家庭で使用される照明装置は、例えば、防水山型照明装置、中級照明装置、又は家庭用カバー照明装置であり、中でも防水山形照明装置が最も広く普及している。
【０００３】
しかしながら、従来の山形照明は、鉄板とガラス繊維で組み立てられた照明光源を組み付けているので、耐水性が悪く、水分に一度晒されてしまうと照明の短絡が生じやすくなる。さらに、水分が侵入すると照明装置内部に錆などの損傷が簡単に生じてしまう可能性がある。
【０００４】
従来の防水機能付きの照明装置を開示する文献として下記の特許文献１がある。特許文献１に開示の防水型照明装置は、両端が開口された円筒状のカバー本体、このカバー本体の一方の開口側の内周部に設けられて内方に突出したリング状の２つの内周部突起及び前記カバー本体の一方の前記開口側の端部に設けられて側方に突出したリング状の端部突起を有する一対の防水カバーと、それぞれの前記カバー本体の他方の開口に嵌合されたランプソケットと、端部が前記カバー本体の一方の前記開口側から挿入されてその端部が前記ランプソケットに装着された円筒状のランプとを有する。このような構成を有する防水型照明装置は、ランプとランプソケットとの装着部分の防水対策を行う場合に、コストと手間とを低減することができる。
【先行技術文献】
【特許文献】
【０００５】
【特許文献１】特開２０１７−１１１８５５号公報
【考案の概要】
【考案が解決しようとする課題】
【０００６】
しかしながら、従来の照明装置の防水機能は必ずしも十分ではなかった。このような問題点があるため、耐水性及び安全性に優れた照明装置を設計することが現場の改善点として強く要求されている。
【課題を解決するための手段】
【０００７】
上記の問題を鑑みて本考案はなされており、本考案の一実施形態の防水山型照明装置は、長尺状の溝体を備え、前記長尺状の溝体の両端に開口を有するソケット；前記ソケットに結合されるとともに、前記長尺状の溝体の下方に位置する照明管構造であって、照明カバーと、前記照明カバーに接合されるアルミニウムプレートであって、当該アルミニウムプレートの両側と前記照明カバーの両側により２つの端部開口が形成されるアルミニウムプレートと、前記照明カバーと前記アルミニウムプレートの間に設けられる光源プレートと、前記端部開口の両側にそれぞれ設けられる２つの防水パッキンと、前記防水パッキンのうち一方の防水パッキンの外側に位置しており、前記光源プレートに電気的に接続される電源と、前記端部開口をそれぞれ封止する２つの蓋体と、を備える照明管構造；凹溝をそれぞれ備える２つの延伸板材であって、前記凹溝の両端に溝口を備えるとともに、前記ソケットの両側に位置しており、前記長尺状の溝体の底面が面する方向と凹溝の底面が面する方向とが異なっている延伸板材；及び前記開口と２つの溝口をそれぞれ封止する２つのサイドカバーを含むことを特徴とする。
【０００８】
本実施形態の防水山型照明装置において、好ましくは、前記アルミニウムプレートと前記ソケットの間には係合フック構造が設けられている。
【０００９】
本実施形態の防水山型照明装置において、好ましくは、前記アルミニウムプレートと前記ソケットの間には安全フックが設けられている。
【００１０】
本実施形態の防水山型照明装置において、好ましくは、前記サイドカバーは開孔と端部カバーを含み、前記端部カバーは前記開孔を封止している。
【００１１】
本実施形態の防水山型照明装置において、好ましくは、前記ソケットの側壁は第１係接構造を含み、前記延伸板材は、前記凹溝の側壁に位置する第２係接構造を更に含み、前記第１係接構造と前記第２係接構造が係合して固定されている。
【００１２】
本実施形態の防水山型照明装置において、好ましくは、前記第１係接構造は対向する２つの係合溝であり、前記第２係接構造は、前記凹溝の側壁の下端に位置する突起部であり、前記２つの係合溝は、前記突起部及び前記凹溝の側壁の先端にそれぞれ係接される。
【００１３】
本実施形態の防水山型照明装置において、好ましくは、前記ソケットに接続されており、前記電源の電源コードを被覆するケーブルカバーを更に含む。
【００１４】
本実施形態の防水山型照明装置において、好ましくは、前記係合フック構造は、上係合フック、下係合フック及び係合フックベースを含む。
【００１５】
本実施形態の防水山型照明装置において、好ましくは、前記アルミニウムプレートは第１板材及び第２板材を含み、前記第１板材と前記第２板材は重ね合わされており、前記光源プレートは前記第１板材に接合されている。
【００１６】
本実施形態の防水山型照明装置において、好ましくは、前記２つの防水パッキンはそれぞれ貫通孔を含み、前記２つの貫通孔はそれぞれ前記アルミニウムプレートの両端に覆接されている。
【考案の効果】
【００１７】
要するに、本考案の防水山型照明装置によれば、電源と照明管構造とが一体化され、防水パッキンが設置されることによってキャップ内の電源と光源プレートが防水されて照明が保護される。本発明ではアルミニウムプレートによって熱を放出することができるし、錆びることもないし、下方に溝が設けられているので保管に適しており、非常に有益である。
【図面の簡単な説明】
【００１８】
【図１】本発明の一実施形態の防水山型照明装置を組み立てた後の状態を示す模式図である。
【図２】本発明の一実施形態の防水山型照明装置の分解斜視図である。
【図３】本発明の一実施形態の防水山型照明装置の一側面の断面図である。
【図４】本発明の一実施形態の防水山型照明装置の別の一側面の断面図である。
【考案を実施するための形態】
【００１９】
本考案の詳細の特徴及び利点は、本発明の以下の実施形態において詳細に説明され、この分野における通常の知識を有する者であれば、この考案に関連する目的及び利点を容易に理解することができる。
【００２０】
本考案の目的及び効果並びに技術的内容、技術的な解決方法及び構造的特徴については、特定の実施形態及び添付図面を参照して以下に詳細に説明される。
【００２１】
図１〜図４はそれぞれ、本考案の一実施形態の防水山型照明装置の模式図、分解斜視図、一側面図及び別の一側面図である。
【００２２】
本考案の防水山型照明器具１は、図１に示すように、ソケット１１と、照明管構造１２と、２枚の延伸板材１９と、２つのサイドカバー１５とを備えることを特徴とする。
【００２３】
ソケット１１は、図２に示すように、長尺状の溝体１１１を備え、長尺状の溝体１１１の両端に開口１１２を有する。ソケット１１は、プラスチック材料で構成されている。
【００２４】
照明管構造１２は、図３に示すように、ソケット１１に結合されるとともに、長尺状の溝体１１１の下方に位置し、照明カバー１２１と、アルミニウムプレート１２２と、光源プレート１２６と、２つの防水パッキン１２３と、電源１２４と、２つのキャップ１２５とを含む。アルミニウムプレート１２２は、照明カバー１２１に接合される。アルミニウムプレート１２２の両側と照明カバー１２１の両側により２つの端部開口１２１１が形成している。光源プレート１２６は、照明カバー１２１とアルミニウムプレート１２２の間に設けられる。２つの防水パッキン１２３は、端部開口１２１１の両側にそれぞれ設けられる。電源１２５は、防水パッキン１２３のうち一方の防水パッキン１２３の外側に位置しており、光源プレート１２６に電気的に接続されている。２つのキャップ１２５は、端部開口１２１１をそれぞれ封止する。照明カバー１２１は、プラスチック材料で構成されている。
【００２５】
電源１２４は、キャップ１２５の内側に取り付けられている。この位置に電源１２４が設けられることで、電源１２４が水に晒されることを防ぐことができる。本実施形態では、照明管構造１２の一端のみに電源１２４が設けられている場合を示しているが、照明管構造１２の両端に電源１２４が取り付けられていてもよい。
【００２６】
図４に示すように、２つの延伸板材１９はそれぞれ凹溝１９１を備え、当該凹溝１９１の両端に溝口１９１１を備えるとともに、ソケット１１の両側に位置しており、長尺状の溝体１１１の底面が面する方向と凹溝１９１の底面が面する方向とが異なっている。
【００２７】
２つのサイドカバー１５は、図４に示すようにそれぞれ、開口１１２と２つの溝口１９１１をそれぞれ封止している。この２つのサイドカバー１５によって外部の水が照明管構造２に侵入することを防ぐことができる。
【００２８】
本実施形態において、係合フック構造１３は、図３に示すように、アルミニウムプレート１２２とソケット１１の間に設けられている。また係合フック構造１３は、上係合フック１３１、下係合フック１３２及び係合フックベース１３３を含む。アルミニウムプレート１２２はソケット１１に簡単に取り付けることができる。
【００２９】
また、図４に示すように、アルミニウムプレート１２２とソケット１１の間には安全フック１４が設けられている。この安全フック１４にアルミニウムプレート１２２を引っかけることによりアルミニウムプレート１２２がソケット１１から脱落することを防止している。
【００３０】
また、本実施形態では、サイドカバー１５は開孔１５１と端部カバー１５２を含み、当該端部カバー１５２は開孔１５１を封止している。
【００３１】
さらに、本実施形態では、ソケット１１の側壁は、第１係接構造１１３を含み、延伸板材１９は、凹溝１９１の側壁に位置する第２係接構造１９２を更に含み、第１係接構造１１３と第２係接構造１９２が係合して固定されている。
【００３２】
また、本実施形態では、第１係接構造１１３は対向する２つの係合溝であり、第２係接構造１９２は、凹溝１９１の側壁の下端に位置する突起部である。２つの係合溝は、突起部及び凹溝１９１の側壁の先端にそれぞれ係接される。
【００３３】
また、本実施形態の防水山型照明装置１は、電源１２４の電源コードを被覆するケーブルカバー１７を更に含む。
【００３４】
また、本実施形態では、係合フック構造１３は、上係合フック１３１、下係合フック１３２及び係合フックベース１３３を含む。本実施形態では、図２に示すように、下係合フック１３２と係合フックベース１３３とが一体になったものを用いる。そして、ソケット１１に上係合フック１３１を取り付けるとともに、アルミニウムプレートに係合フックベース１３３を取り付けることによって下係合フック１３２を取り付ける。次に、アルミニウムプレート１２２に取り付けられた下係合フック１３２を、上係合フック１３１に引っかけることによってアルミニウムプレート１２２をソケット１１に取り付ける。このようにしてアルミニウムプレート１２２がソケット１１に取り付けられる。なお、ソケット１１にアルミニウムプレート１２２を取り付ける手法は、上記形態に限られない。
【００３５】
また、本実施形態では、アルミニウムプレート１２２は第１板材１２２１及び第２板材１２２２を含み、第１板材１２２１と第２板材１２２２は重ね合わされており、光源プレート１２６は第１板材１２２１に接合されている。
【００３６】
また、本実施形態では、２つの防水パッキン１２３はそれぞれ貫通孔１２３１を含み、２つの貫通孔１２３１はそれぞれアルミニウムプレート１２２の両端に覆接されている。
【００３７】
本考案の防水山型照明装置によれば、電源と照明管構造とが一体化され、防水パッキンが設置されることによってキャップ内の電源と光源プレートが防水されて照明が保護される。本発明ではアルミニウムプレートによって熱を放出することができるし、錆びることもないし、下方に溝が設けられているので保管に適しており、非常に有益である。
【００３８】
本考案の権利保護の範囲は、上記の本明細書に記載された実施形態のみに限定されるものではないことに留意すべきである。したがって、本考案の革新的な概念によれば、上述の技術は、本明細書に記載された実施形態のみに限られず、本明細書の内容及び図面から理解される内容に対して直接的又は間接的に修正又は変更を加えた均等の構造物にも適用されるべきものであり、本考案の解決策は、実用新案登録請求の範囲に含まれる限りにおいて他の関連技術の分野にも適用することができる。
【符号の説明】
【００３９】
１    防水山形照明装置
１１    ソケット
１１１    長尺上の溝体
１１２    開口
１１３    第１係接構造
１２    照明管構造
１２１    照明カバー
１２１１    端部開口
１２２    アルミニウムプレート
１２２１    第１板材
１２２２    第２板材
１２３    防水パッキン
１２３１    貫通穴
１２４    電源
１２５    キャップ
１２６    光源プレート
１３    係合フック構造
１３１    上係合フック
１３２    下係合フック
１３３    係合フックベース
１４    安全フック
１５    サイドカバー
１５１    端部カバー
１７    ケーブルカバー
１９    延伸板材
１９１    凹溝
１９１１    溝口
１９２    第２係接構造
【図１】
0003219914.tif 000003
【図２】
0003219914.tif 000004
【図３】
0003219914.tif 000005
【図４】
0003219914.tif 000006